【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
システム特性を動的に制御するためにシステムにおいて合成分子スプリングデバイスを使用する方法であって、以下の工程を含む方法：
（ａ）合成分子スプリングデバイスを提供する工程、この場合、合成分子スプリングデバイスは、
（ｉ）少なくとも１つの合成分子アセンブリー［それぞれの前記合成分子アセンブリーは、以下の構成成分を含む少なくとも１つの化学的ユニットまたは化学的モジュールを特徴とする：
（１）少なくとも１つの原子、
（２）前記少なくとも１つの原子の少なくとも１つに錯化した少なくとも１つの錯形成基、
（３）前記少なくとも１つの錯化した原子と可逆的に物理化学的にペアになった少なくとも１つの軸配位子、および
（４）本体部を有し、かつ、２つの末端を有し、少なくとも一方の前記末端が前記合成分子アセンブリーの別の前記構成成分に化学的に結合している少なくとも１つの実質的に弾性な分子リンカー］、および
（ｉｉ）それぞれの前記合成分子アセンブリーの少なくとも１つの所定の前記原子−軸配位子ペアに対して作動可能に向けられた活性化メカニズムを含む；
（ｂ）システムの１つのユニットを選択する工程、この場合、前記選択されたユニットは、合成分子スプリングデバイスによって動的に制御可能なシステム特性を示す；
（ｃ）結合ユニットを形成するために、それぞれの前記合成分子アセンブリーを前記選択されたユニットに対して作動可能にカップリングさせる工程、ならびに
（ｄ）活性化シグナルを、前記活性化メカニズムから、前記結合ユニットの少なくとも１つの前記合成分子アセンブリーの前記少なくとも１つの所定の原子−軸配位子ペアに送って、前記少なくとも１つの所定の原子−軸配位子ペアを物理化学的に変化させ、前記結合ユニットの前記少なくとも１つの前記合成分子アセンブリーの前記少なくとも１つの実質的に弾性な分子リンカーの収縮線状立体配座状態と拡張線状立体配座状態との間、または、その拡張線状立体配座状態と収縮線状立体配座状態との間におけるスプリングタイプの弾性可逆的な移行の少なくとも１回のサイクルを活性化させ、それにより、前記選択されたユニットによって示されるシステム特性における動的に制御可能な変化を生じさせる工程。
【請求項２】
前記錯化原子と前記軸配位子との間の前記可逆的物理化学的にペアにする性質が、化学相互作用または結合であることから、一対の２つの非相互作用的、非結合的、または抗結合的成分、それによる前記合成分子アセンブリー中のすぐ近くの同じ隣位にある隣接物として位置している前記錯化原子と前記軸配位子であることまで様々なものである請求項１記載の方法。
【請求項３】
前記化学相互作用または結合は共有結合、配位およびイオン結合からなる群から選択される請求項２記載の方法。
【請求項４】
前記収縮線形配座状態において、前記錯化原子と前記軸配位子との間の前記可逆的物理化学的にペアにする性質が化学結合であって、前記拡張線形配座状態において、前記錯化原子と前記軸配位子との間の前記可逆的物理化学的にペアにする前記性質が一対の２つの非相互作用的、非結合的、または抗結合的成分であって、前記錯化原子および前記軸配位子が前記合成分子アセンブリー中のすぐ近くの同じ隣位にある隣接物として位置する請求項１記載の方法。
【請求項５】
前記収縮線形配座状態において、前記錯化原子と前記軸配位子との間の前記可逆的物理化学的にペアにする性質が一対の２つの非相互作用的、非結合的または抗結合的成分であって、前記錯化原子および前記軸配位子が前記合成分子アセンブリー中のすぐ近くの同じ隣位にある隣接物として位置し、前記拡張線形配座状態において、前記錯化原子と前記軸配位子との間の前記可逆的物理化学的にペアにする性質が化学結合である請求項１記載の方法。
【請求項６】
前記錯化原子が前記合成分子アセンブリーの別の前記成分とともに少なくとも１つの追加化学結合を形成する請求項１記載の方法。
【請求項７】
前記原子は中性原子および陽電荷原子からなる群から選択される請求項１記載の方法。
【請求項８】
前記原子は金属、半金属、および非金属からなる群から選択される元素の中性原子および陽電荷原子からなる群から選択される請求項１記載の方法。
【請求項９】
前記原子は２価遷移金属カチオンおよび３価遷移金属カチオンからなる群から選択されるカチオンである請求項１記載の方法。
【請求項１０】
前記原子はマグネシウム、クロム、マンガン、鉄、ルテニウム、オスミウム、コバルト、ロジウム、ニッケル、銅、亜鉛、ケイ素、およびチタンからなる群から選択される金属元素のカチオンである請求項１記載の方法。
【請求項１１】
前記錯化基が、前記錯化基の前記錯化原子を前記合成分子アセンブリーの全体構造に対して局部的に配置するために機能する請求項１記載の方法。
【請求項１２】
前記錯化基が、前記錯化基の前記錯化原子を収縮線形配座状態と拡張線形配座状態との間の前記スプリングタイプ弾性可逆性移行を受けるために活性化される前記実質的に弾性な分子リンカーの構造および位置に対して局部的に配置するために機能する請求項１記載の方法。
【請求項１３】
前記錯化基が前記所定の原子−軸配位子ペアの結合および脱結合エネルギーを調整するために機能する請求項１記載の方法。
【請求項１４】
前記錯化基が前記分子リンカーの前記収縮線形配座状態と前記拡張線形配座状態との間の前記スプリングタイプ弾性可逆性移行を活性化するために必要とされる活性化エネルギーを調整するために機能する請求項１記載の方法。
【請求項１５】
前記錯化基が前記合成分子アセンブリーの２つの前記構成成分の間、あるいは、前記合成分子アセンブリーの前記構成成分と、前記合成分子アセンブリーに対して外部の実体の少なくとも１つのエレメントまたは構成成分との間での効率的な電気的／電子的な作動可能なカップリングまたは接続を提供するために、あるタイプの分子導電性ワイヤとして、電気的および／または電子的な伝導の媒体として使用されるために機能する請求項１記載の方法。
【請求項１６】
分子導電性ワイヤの前記タイプとして機能する前記錯化基の化学タイプ、構造幾何学的な構成または形態、および大きさが、前記合成分子アセンブリーの少なくとも一部を含む電気的／電子的な回路の指定された電気的／電子的経路に沿った電気的／電子的な電荷流を最適化するために選択される請求項１５記載の方法。
【請求項１７】
前記錯化基が、様々な程度または範囲の共有原子価、配位、またはイオン強度の少なくとも１つの化学結合を介して前記原子と錯化され、可変寸法および柔軟性を有する可変幾何学形状または形態を有する請求項１記載の方法。
【請求項１８】
前記錯化基は、環式化合物、多環式化合物、非環式化合物、線状化合物、枝分かれ化合物、およびこれらの組合わせからなる群から選択される化合物である請求項１記載の方法。
【請求項１９】
前記錯化基は、マクロヘテロ環式化合物およびマクロ環式化合物からなる群から選択される環式化合物である請求項１記載の方法。
【請求項２０】
前記錯化基は、ポリアザ大環、クラウンエーテルおよびクリプテートからなる群から選択されるマクロヘテロ環式化合物である請求項１記載の方法。
【請求項２１】
前記錯化基は、テトラピロール、フタロシアニンおよびナフタロシアニンからなる群から選択される化合物のポリアザ大環タイプである請求項１記載の方法。
【請求項２２】
前記錯化基は、ポルフィリン、クロリン、バクテリオクロリン、コロールおよびポルフィセンからなる群から選択される化合物のテトラピロールタイプである請求項１記載の方法。
【請求項２３】
前記錯化基は、ポルフィリン、置換ポルフィリン、ジヒドロポルフィリン、置換ジヒドロポルフィリン、テトラヒドロポルフィリン、および置換テトラヒドロポルフィリンからなる群から選択される大環状化合物である請求項１記載の方法。
【請求項２４】
前記錯化基は、開放テトラピロールからなる群から選択される非環式化合物である請求項１記載の方法。
【請求項２５】
前記錯化基は、フィコシアノビリンおよびフィコエリトロビリンからなる群から選択される非環式化合物の開放テトラピロールタイプである請求項１記載の方法。
【請求項２６】
前記錯化基が、前記原子をキレート化する化学キレート化剤として機能し、これによって前記原子とともにキレートを形成する化合物である請求項１記載の方法。
【請求項２７】
前記軸配位子が、前記錯化原子に加えて、前記合成分子アセンブリーの少なくとも１つの他の前記成分と化学的に相互作用を行なうために機能する請求項１記載の方法。
【請求項２８】
前記軸配位子が、前記錯化原子に加えて、追加前記錯化原子、前記錯化基および前記実質的に弾性な分子リンカーからなる群から選択される、前記合成分子アセンブリーの少なくとも１つの他の前記成分と化学的に相互作用を行なうために機能する請求項１記載の方法。
【請求項２９】
前記軸配位子が、前記原子との少なくとも１つの配位結合相互作用、および前記合成分子アセンブリーの少なくとも１つの他の前記成分との少なくとも１つの追加の前記結合相互作用を生じることによって、前記実質的に弾性な分子リンカーの収縮線形配座状態と拡張線形配座状態との間の前記可逆性移行を誘発するために機能する請求項１記載の方法。
【請求項３０】
前記軸配位子が前記所定の原子−軸配位子ペアの結合および脱結合エネルギーを調整するために機能する請求項１記載の方法。
【請求項３１】
前記軸配位子が前記分子リンカーの前記収縮線形配座状態と前記拡張線形配座状態との間の前記スプリングタイプ弾性可逆性移行を活性化するために必要とされる活性化エネルギーを調整するために機能する請求項１記載の方法。
【請求項３２】
前記軸配位子が前記合成分子アセンブリーの２つの前記構成成分の間、あるいは、前記合成分子アセンブリーの前記構成成分と、前記合成分子アセンブリーに対して外部の実体の少なくとも１つのエレメントまたは構成成分との間での効率的な電気的／電子的な作動可能なカップリングまたは接続を提供するために、あるタイプの分子導電性ワイヤとして、電気的および／または電子的な伝導の媒体として使用されるために機能する請求項１記載の方法。
【請求項３３】
分子導電性ワイヤの前記タイプとして機能する前記軸配位子の化学タイプ、構造幾何学的な構成または形態、および大きさが、前記合成分子アセンブリーの少なくとも一部を含む電気的／電子的な回路の指定された電気的／電子的経路に沿った電気的／電子的な電荷流を最適化するために選択される請求項３２記載の方法。
【請求項３４】
前記軸配位子が、前記原子を前記合成分子アセンブリーの全体構造に対して局部的に配置するために機能する請求項１記載の方法。
【請求項３５】
前記軸配位子は単座配位子、二座配位子、三座配位子、および多座配位子からなる群から選択される１つのタイプの配位子である請求項１記載の方法。
【請求項３６】
前記軸配位子は、アニオン性化合物および中性化合物からなる群から選択される化合物である請求項１記載の方法。
【請求項３７】
前記軸配位子が、ルイス酸として挙動する電子リッチ領域または基を特徴とする中性化合物である請求項１記載の方法。
【請求項３８】
前記軸配位子は、ヘテロ環、架橋へテロ環、アミン、エーテル、アルコール、イソ−シアニド、ポリヘテロ環、アミド、チオール、不飽和化合物、アルキルハロゲン化物およびニトロ化合物からなる群から選択される中性化合物である請求項１記載の方法。
【請求項３９】
前記軸配位子は、置換ピリジン、置換イミダゾール、４，４’−ビピリジン、および１，３−ジアミノプロパンからなる群から選択される中性化合物である請求項１記載の方法。
【請求項４０】
前記軸配位子は、シアニド、酸およびカルボン酸からなる群から選択されるアニオン性化合物である請求項１記載の方法。
【請求項４１】
前記軸配位子は、物理化学的挙動の２つのタイプの領域を特徴とし、物理化学的挙動の第一の前記タイプの領域は、前記錯化原子との配位結合相互作用に参加する前記軸配位子の部分に対応し、物理化学的挙動の第二の前記タイプの領域は、前記軸配位子の前記最初の２つのタイプの領域の間を連結するか、あるいは前記第一のタイプの領域と前記合成分子アセンブリーの別の前記成分との間を連結する、前記軸配位子の部分に対応する請求項１記載の方法。
【請求項４２】
前記軸配位子の物理化学的挙動の前記第二のタイプの領域は、前記スプリングタイプ弾性可逆性機能および前記実質的に弾性な分子リンカーの挙動を特徴とする請求項４１記載の方法。
【請求項４３】
前記軸配位子は、２つの前記錯化原子の各々と可逆的物理化学的にペアになった軸二座配位子であり、これによって、前記軸二座配位子の本体は、本体を有し、かつ各々がそれぞれ前記軸二座配位子の単一末端に化学結合している２つの末端を有する、前記実質的に弾性の分子リンカーである請求項１記載の方法。
【請求項４４】
前記実質的に弾性な分子リンカーが、前記合成分子アセンブリーの前記収縮および拡張線形配座状態に関し、前記合成分子アセンブリーの物理的幾何学的線形スペーサーとして機能する請求項１記載の方法。
【請求項４５】
前記実質的に弾性な分子リンカーが、前記合成分子アセンブリーの少なくとも１つの任意に規定されている軸に沿う規定された軌道にしたがって、線形配座状態における前記移行の間、結果として生じる平行移動または線形運動を指向するために機能する請求項１記載の方法。
【請求項４６】
前記実質的に弾性な分子リンカーが、前記合成分子アセンブリーの２つの前記構成成分の間、あるいは、前記合成分子アセンブリーの前記構成成分と前記合成分子アセンブリーに対して外部の実体の少なくとも１つのエレメントまたは構成成分との間での効率的な電気的／電子的な作動可能なカップリングまたは接続を提供するために、あるタイプの分子導電性ワイヤとして、電気的および／または電子的な伝導の媒体として使用されるために機能する請求項１記載の方法。
【請求項４７】
分子導電性ワイヤの前記タイプとして機能する前記実質的に弾性な分子リンカーの化学タイプ、構造幾何学的な構成または形態、および大きさが、前記合成分子アセンブリーの少なくとも一部を含む電気的／電子的な回路の指定された電気的／電子的経路に沿った電気的／電子的な電荷流を最適化するために選択される請求項４６記載の方法。
【請求項４８】
前記実質的に弾性な分子リンカーが、前記原子、前記錯化基および前記軸配位子からなる群から選択される前記合成分子アセンブリーの別の前記成分に化学結合された少なくとも１つの末端を有する請求項１記載の方法。
【請求項４９】
前記実質的に弾性な分子リンカーが、異なった単一前記錯化基に化学結合されている２つの末端のそれぞれを有する請求項１記載の方法。
【請求項５０】
前記実質的に弾性な分子リンカーが、少なくとも２つの個々の原子および少なくとも２つの分子からなる群から選択される化学的実体である請求項１記載の方法。
【請求項５１】
前記実質的に弾性な分子リンカーが、可変長さ、枝分かれ、および飽和を有する分子鎖、様々な一、二、または多−官能基を有する環式化合物、様々な一、二、または多−官能基を有する芳香族化合物、およびこれらの組合わせからなる群から選択される化学的実体である請求項１記載の方法。
【請求項５２】
前記実質的に弾性な分子リンカーが、アルカン、アルケン、アルキン、置換フェニル、アルコール、エーテル、モノ−（アリーレンエチニレン）、オリゴ−（アリーレンエチニレン）、ポリ（アリーレンエチニレン）、および（フェニレンエチニレン）からなる群から選択される化合物である請求項１記載の方法。
【請求項５３】
前記実質的に弾性な分子リンカーが、Ｃ２アルキン、Ｃ４アルキン、Ｃ６アルキン、１，４−置換フェニル、１，４−置換ビシクロ［２．２．２］オクタン、およびジエーテルからなる群から選択される化合物である請求項１記載の方法。
【請求項５４】
前記活性化シグナルが、各々が規定されている振幅および持続時間を有する２つの制御可能な一般的な相補レベルを有する請求項１記載の方法。
【請求項５５】
前記活性化シグナルの前記一般的な第一相補レベルは、対応する前記活性化メカニズムの操作と一貫性のある可逆的物理化学メカニズムの第一指向を介して、前記原子−軸配位子ペアを物理化学的に変性するために前記少なくとも１つの所定の原子−軸配位子ペアに送られ、これにより、前記少なくとも１つの実質的に弾性な分子リンカーの前記収縮線形配座状態から前記拡張線形配座状態への前記スプリングタイプ弾性可逆性移行が活性化され、これにより、前記活性化シグナルの前記一般的な第二相補レベルによって、前記少なくとも１つの実質的に弾性な分子リンカーが前記収縮配座状態に戻ることができる請求項５４記載の方法。
【請求項５６】
前記活性化シグナルの前記一般的な第一相補レベルによって、前記少なくとも１つの実質的に弾性な分子リンカーが、前記収縮配座状態に戻ることができ、これにより前記活性化シグナルの前記一般的な第二相補レベルは、対応する前記活性化メカニズムの操作と一貫性のある可逆的物理化学メカニズムの第二指向を介して、前記原子−軸配位子ペアを物理化学的に変性するために前記少なくとも１つの所定の原子−軸配位子ペアに送られ、これにより、前記少なくとも１つの実質的に弾性な分子リンカーの前記拡張線形配座状態から前記収縮線形配座状態への前記スプリングタイプ弾性可逆性移行が活性化される請求項５４記載の方法。
【請求項５７】
前記活性化シグナルの各前記一般的相補レベルは、規模、強さ、振幅、または強度を有する少なくとも１つの特定のサブレベルを特徴とする請求項５４記載の方法。
【請求項５８】
前記活性化メカニズムの操作パラメーターは、前記少なくとも１つの所定の原子−軸配位子ペアに送られる前記活性化シグナルの前記一般的な相補レベルの（１）規模、強さ、振幅、または強度、（２）頻度、（３）時間または持続時間、（４）反復率または周期性、および（５）スイッチ率からなる群から選択される請求項５４記載の方法。
【請求項５９】
前記活性化メカニズムは、前記活性化シグナルの電磁型を送る電磁メカニズム、前記活性化シグナルの電気／電子型を送る電気／電子メカニズム、前記活性化シグナルの化学型を送る化学的メカニズム、前記活性化シグナルの電気化学型を送る電気化学メカニズム、前記活性化シグナルの磁気型を送る磁気メカニズム、前記活性化シグナルの音響型を送る音響メカニズム、前記活性化シグナルの光音響型を送る光音響メカニズム、および前記活性化シグナルの組合わせ型を送るこれらの組合わせからなる群から選択されるメカニズムの型である請求項１記載の方法。
【請求項６０】
前記活性化メカニズムは、前記活性化シグナルのレーザービーム型を送るレーザービームベース活性化メカニズム、前記活性化シグナルのメーザービーム型を送るメーザービームベース活性化メカニズム、およびこれらの組合わせからなる群から選択される活性化メカニズムの電磁型である請求項１記載の方法。
【請求項６１】
前記活性化メカニズムは、前記活性化シグナルの電流型を送る電流ベース活性化メカニズム、前記活性化シグナルの加えられた電気ポテンシャル型を送る加えられた電気ポテンシャルベース活性化メカニズムおよびこれらの組合わせからなる群から選択される活性化メカニズムの電気／電子型である請求項１記載の方法。
【請求項６２】
前記活性化メカニズムは、前記活性化シグナルのプロトネーション−デプロトネーション型を送るプロトネーション−デプロトネーションベース活性化メカニズム、前記活性化シグナルのｐＨ変化型を送るｐＨ変化ベース活性化メカニズム、前記活性化シグナルの濃度変化型を送る濃度変化ベース活性化メカニズム、およびこれらの組合わせからなる群から選択される活性化メカニズムの化学型である請求項１記載の方法。
【請求項６３】
前記活性化メカニズムが、前記活性化シグナルの還元／酸化型を発生させて送る還元／酸化ベース電気化学型活性化メカニズムである請求項１記載の方法。
【請求項６４】
前記活性化メカニズムの特定のタイプおよび操作パラメータは、前記合成分子アセンブリーの前記構成成分の物理化学的なタイプおよび構造にしたがって選択される請求項１記載の方法。
【請求項６５】
前記活性化メカニズムは前記合成分子アセンブリーの少なくとも１つの前記所定の原子−軸配位子ペアを前記物理化学的に変性するために、約３５０ｎｍ〜約９００ｎｍの範囲内にある波長を有するレーザー光ビームとして前記活性化シグナルの電磁型を送るレーザービームベースの前記活性化メカニズムの電磁型である請求項１記載の方法。
【請求項６６】
前記レーザービームがＨｚ程度〜ＭＨｚ程度の範囲内にある繰返し率において操作する請求項６５記載の方法。
【請求項６７】
前記レーザービームが４０ＭＨｚの繰返し率において操作する請求項６５記載の方法。
【請求項６８】
前記活性化メカニズムが還元／酸化ベースの活性化メカニズムの電気化学型であって、前記合成分子アセンブリーの少なくとも１つの前記所定の原子−軸配位子ペアを前記物理化学的に変性するために、約−１．０Ｖ〜約−２．５Ｖ対飽和カロメル参照電極の範囲内にある還元ポテンシャルとしての前記活性化シグナルの電気化学還元型を送り、約＋０．５Ｖ〜約＋１．３Ｖ対前記飽和カロメル参照電極の範囲内にある酸化ポテンシャルとしての前記活性化シグナルの電気化学酸化型を送る請求項１記載の方法。
【請求項６９】
前記活性化メカニズムがプロトネーション／デプロトネーションベースの活性化メカニズムの化学型であって、前記合成分子アセンブリーの少なくとも１つの前記所定の原子−軸配位子ペアを前記物理化学的に変性するために、アセトニトリルの酸性溶液およびＨＣｌの希釈水溶液／酸性アセトニトリル溶液として、前記活性化シグナルの化学プロトネーション型を送り、アセトニトリルと希釈ＮａＯＨとの塩基性溶液として、前記活性化シグナルの化学デプロトネーション型を送る請求項１記載の方法。
【請求項７０】
前記合成分子アセンブリーの前記化学ユニットまたはモジュールが：（５）前記合成分子アセンブリーの前記構成成分を相互に化学的に接続するための少なくとも１つの化学的コネクター、をさらに含む請求項１記載の方法。
【請求項７１】
前記化学的コネクターが前記合成分子アセンブリーの別の前記成分に対して追加の構造的制約を与えるために機能する請求項７０記載の方法。
【請求項７２】
前記化学的コネクターが原子および分子からなる群から選択される化学的実体である請求項７０記載の方法。
【請求項７３】
前記合成分子アセンブリーの前記化学ユニットまたはモジュールが：（６）前記合成分子アセンブリーの別の前記構成成分の所定の位置にそれぞれが配置された少なくとも１つの結合部位で、前記合成分子アセンブリーの前記位置を、前記合成分子アセンブリーに対して外部の実体に結合するか、または作動可能にカップリングするための少なくとも１つの結合部位、をさらに含む請求項１記載の方法。
【請求項７４】
前記結合部位が、電気的または電子的な伝導の媒体として、あるタイプの分子導電性ワイヤとして使用されるために、前記合成分子アセンブリーの２つの前記構成成分の間、または前記合成分子アセンブリーの前記構成成分と、前記合成分子アセンブリーに対して外部の実体の少なくとも１つのエレメントまたは構成成分との間での効率的な電気的／電子的な作動可能なカップリングまたは接続を提供するために機能する請求項７３記載の方法。
【請求項７５】
前記タイプの分子導電性ワイヤとして機能する前記結合部位の化学タイプ、構造幾何学的な構成または形態、および大きさが、前記合成分子アセンブリーの少なくとも一部を含む電気的／電子的な回路の指定された電気的／電子的経路に沿った電気的／電子的な電荷流を最適化するために選択される請求項７４記載の方法。
【請求項７６】
前記分子導電性ワイヤとして機能する前記結合部位は、ナノチューブ、多共役ポリマー、ＤＮＡをテンプレートとする金または銀の導電性ワイヤ、多芳香族分子、置換された多芳香族分子、および、少なくとも１つのチオール官能基を含む置換された多芳香族分子からなる群から選択される化学的実体である請求項７５記載の方法。
【請求項７７】
前記結合部位が、複数の前記結合部位によって相互に化学的に接続または結合された複数の前記化学的ユニットまたは化学的モジュールを特徴とする、前記合成分子アセンブリーのポリ分子形態のスケールアップされたアセンブリーにおいて接続性および方向づけられたモジュール性を提供するために機能する請求項７３記載の方法。
【請求項７８】
前記結合部位が、前記合成分子アセンブリーへ認識部位を供給するために機能する請求項７３記載の方法。
【請求項７９】
前記結合部位が、前記合成分子アセンブリーへ認識部位を供給するために機能し、前記結合部位が少なくとも１つの特定の抗体によって認識されるために少なくとも１つのレセプターを特徴とする請求項７３記載の方法。
【請求項８０】
前記結合部位が、様々な程度または範囲の共有原子価、配位、またはイオン強度の少なくとも１つの化学結合を介して、前記合成分子アセンブリーの少なくとも１つの他の前記成分へ化学結合されている化学的実体であって、可変寸法および柔軟性を有する可変幾何学形状または形態を有する請求項７３記載の方法。
【請求項８１】
前記結合部位は、原子、分子、介在スペーサーアーム、架橋基、キャリヤー分子、およびこれらの組合わせからなる群から選択される化学的実体である請求項７３記載の方法。
【請求項８２】
前記合成分子アセンブリーが、単一の前記合成分子アセンブリーの前記化学ユニットまたはモジュールの複数の少なくとも２つを組立てて連結することによって形成されたスケールアップされた合成分子アセンブリーであって、前記スケールアップされた合成分子アセンブリーの各前記化学ユニットまたはモジュールは前記成分を含み、単一の前記化学ユニットまたはモジュールの機能性を示す請求項１記載の方法。
【請求項８３】
前記スケールアップされた合成分子アセンブリーは、前記複数の前記化学ユニットまたはモジュールの一次元アレー、二次元アレー、三次元アレー、およびこれらの組合わせからなる群から選択される可変幾何学形状または形態であり、可変大きさおよび柔軟性を有する請求項８２記載の方法。
【請求項８４】
前記スケールアップされた合成分子アセンブリーの各前記化学ユニットまたはモジュールが、機能的および構造的に前記スケールアップされた合成分子アセンブリーの一部であることに加えて、その個々の機能および構造を保持する請求項８２記載の方法。
【請求項８５】
前記単一の化学ユニットまたはモジュールの前記スプリングタイプ弾性可逆性機能、構造、および挙動に関係する機能的および構造的特徴は、前記スケールアップされた合成分子アセンブリーの前記複数の前記化学ユニットまたはモジュールの数および幾何学形状または形態にしたがって、効果的に線形に拡張可能であること、および相乗作用的に拡張可能であることからなる群から選択されるように拡張可能である請求項８２記載の方法。
【請求項８６】
前記結合ユニットを形成するために、それぞれの合成分子アセンブリーを前記選択されたユニットに作動可能にカップリングする前記工程（ｃ）は、前記合成分子アセンブリーの少なくとも１つの前記構成成分を、システムの前記選択されたユニットの少なくとも１つのエレメントまたは構成成分にカップリングすることによって行われる請求項１記載の方法。
【請求項８７】
前記結合ユニットを形成するために、それぞれの合成分子アセンブリーを前記選択されたユニットに作動可能にカップリングする前記工程（ｃ）は、前記合成分子アセンブリーの少なくとも１つの前記構成成分を、システムの前記選択されたユニットの少なくとも１つのエレメントまたは構成成分にカップリングすることによって行われ、物理的カップリング機構、化学的カップリング機構、物理化学的カップリング機構、それらの組合せ、およびそれらの一体化からなる群から選択されるカップリング機構を使用することによって行われる請求項１記載の方法。
【請求項８８】
前記結合ユニットを形成するために、それぞれの合成分子アセンブリーを前記選択されたユニットに作動可能にカップリングする前記工程（ｃ）は、前記合成分子アセンブリーの少なくとも１つの前記構成成分を、システムの前記選択されたユニットの少なくとも１つのエレメントまたは構成成分にカップリングすることによって行われ、物理的吸着、物理的吸収、非結合性の物理的相互作用、機械的カップリング、単純な並置、電気的カップリング、電子的カップリング、磁気的カップリング、電磁的カップリング、電気機械的カップリング、磁気機械的カップリング、それらの組合せ、およびそれらの一体化からなる群から選択される物理的カップリング機構を使用することによって行われる請求項１記載の方法。
【請求項８９】
前記結合ユニットを形成するために、それぞれの合成分子アセンブリーを前記選択されたユニットに作動可能にカップリングする前記工程（ｃ）は、前記合成分子アセンブリーの少なくとも１つの前記構成成分を、システムの前記選択されたユニットの少なくとも１つのエレメントまたは構成成分にカップリングすることによって行われ、共有結合型の化学結合、配位型の化学結合、イオン型の化学結合、水素型の化学結合、ファンデルワールス型の化学結合、それらの組合せ、およびそれらの一体化からなる群から選択される化学的カップリング機構を使用することによって行われる請求項１記載の方法。
【請求項９０】
前記結合ユニットを形成するために、それぞれの合成分子アセンブリーを前記選択されたユニットに作動可能にカップリングする前記工程（ｃ）は、前記合成分子アセンブリーの少なくとも１つの前記構成成分を、システムの前記選択されたユニットの少なくとも１つのエレメントまたは構成成分にカップリングすることによって行われ、物理的カップリング機構の電気型を、前記化学的カップリング機構の少なくとも１つとの組合せまたは一体化で使用することによって行われ、電気コンダクタンス、電子コンダクタンスおよび電子トンネル効果からなる群から選択される少なくとも１つの現象が、前記合成分子アセンブリーの前記少なくとも１つの構成成分と、システムの前記選択されたユニットの前記作動可能にカップリングされた前記少なくとも１つのエレメントまたは構成成分との間で生じる請求項８９記載の方法。
【請求項９１】
前記結合ユニットを形成するために、それぞれの合成分子アセンブリーを前記選択されたユニットに作動可能にカップリングする前記工程（ｃ）は、前記合成分子アセンブリーの少なくとも１つの前記構成成分を、システムの前記選択されたユニットの少なくとも１つのエレメントまたは構成成分にカップリングすることによって行われ、物理的カップリング機構の電子型を、前記化学的カップリング機構の少なくとも１つとの組合せまたは一体化で使用することによって行われ、電気コンダクタンス、電子コンダクタンスおよび電子トンネル効果からなる群から選択される少なくとも１つの現象が、前記合成分子アセンブリーの前記少なくとも１つの構成成分と、システムの前記選択されたユニットの前記作動可能にカップリングされた前記少なくとも１つのエレメントまたは構成成分との間で生じる請求項８９記載の方法。
【請求項９２】
システム特性が運動量である請求項１記載の方法。
【請求項９３】
システム特性がトポグラフィーである請求項１記載の方法。
【請求項９４】
システム特性が電子挙動である請求項１記載の方法。
【請求項９５】
システム特性が、システムの前記選択されたユニットによって示される粒子運動に関係するような運動量である請求項１記載の方法。
【請求項９６】
システム特性が、システムの前記選択されたユニットによって示される方向配向した分子運動に関係するような運動量である請求項１記載の方法。
【請求項９７】
システム特性が、システムの前記選択されたユニットによって示される長さおよび高さからなる群から選択される変化する大きさに関係するようなトポグラフィーである請求項１記載の方法。
【請求項９８】
システム特性が、システムの前記選択されたユニットによって示される分子電気／電子導電性に関係するような電子挙動である請求項１記載の方法。
【請求項９９】
システム特性が、システムの前記選択されたユニットによって示される電気的／電子的なトグル切り換えまたは連動スイッチングに関する分子導電性に関係するような電子挙動である請求項１記載の方法。
【請求項１００】
システム特性が、前記選択されたユニットによって示される粒子運動に関係するような運動量であって、前記選択されたユニットは容器に含有される溶媒に懸濁または可溶化された粒子を特徴とし、前記粒子の前記粒子運動に関係する運動量のシステム特性は合成分子スプリングデバイスによって動的に制御可能である請求項１記載の方法。
【請求項１０１】
前記選択されたユニットの前記粒子がシステムの前記結合ユニットを前記形成するために複数の前記合成分子アセンブリーの前記作動可能なカップリングにおける可動性の基質として機能する請求項１００記載の方法。
【請求項１０２】
前記粒子が調節可能なサイズまたは大きさ、質量および体積を有する様々な幾何学的な構成、形態または形状である請求項１００記載の方法。
【請求項１０３】
前記粒子がセンチメートル〜オングストロームの範囲の程度のサイズまたは大きさを有する球状、楕円状、円盤状、円筒状もしくは桿様、多角形状および無定形からなる群から選択される幾何学的な構成、形態または形状である請求項１００記載の方法。
【請求項１０４】
前記選択されたユニットが、前記溶媒における金粒子の懸濁物であって、それにより、複数の前記合成分子アセンブリーは、システムの前記結合ユニットを形成するために、前記金粒子の表面に吸着によって前記作動可能にカップリングされる請求項１００記載の方法。
【請求項１０５】
前記選択されたユニットの前記容器は、開放容器、閉じた容器、メンブラン、小胞、および類似するタイプの前記容器からなる群から選択される請求項１００記載の方法。
【請求項１０６】
前記容器の少なくとも一部が、前記活性化メカニズムによって送られる前記活性化シグナルに対して透過性であって、前記活性化メカニズムが、レーザー光の形態の前記活性化シグナルを前記容器に送る、前記粒子に作動可能にカップリングされた複数の前記合成分子アセンブリーを効果的に活性化するためのレーザー光源である請求項１００記載の方法。
【請求項１０７】
前記レーザー光源活性化メカニズムが、前記レーザー光活性化シグナルを、前記粒子に作動可能にカップリングされた前記合成分子アセンブリーの前記原子−軸配位子ペアに送った後、前記活性化シグナルの方向を向く前記原子−軸配位子ペアを有する前記合成分子アセンブリーと作動可能にカップリングされた前記粒子が、前記実質的に弾性な分子リンカーの前記スプリングタイプの弾性可逆的な線状立体配座移行に応答して、突然または急のジャンピング様式またはスイミング様式で制御可能に動き、これに対して、前記容器の暗い面の方向を向く前記原子−軸配位子ペアを有する前記合成分子アセンブリーは、前記活性化メカニズムにより送られる前記レーザー光活性化シグナルによって影響されず、前記スプリングタイプの弾性可逆的な移行を受けない請求項１０６記載の方法。
【請求項１０８】
前記システム特性が前記選択されたユニットによって示される方向配向した分子運動に関係するような運動量であって、前記選択されたユニットは容器に含有される液体に可溶化または混合され、分子配向ディレクター機構の影響にさらされる方向配向可能な分子を特徴とし、前記方向配向可能な分子の前記方向配向した分子運動に関係する運動量のシステム特性は前記合成分子スプリングデバイスによって動的に制御可能である請求項１記載の方法。
【請求項１０９】
前記方向配向可能な分子が液晶分子であって、前記分子配向ディレクター機構は液晶ディレクター機構であって、前記選択されたユニットは、前記容器に含有される前記液体に可溶化または混合され、前記液晶ディレクター機構の影響にさらされる前記液晶分子を特徴とする請求項１０８記載の方法。
【請求項１１０】
前記液晶分子が円筒状もしくは桿様、球状、楕円状、円盤状および多角形状からなる群から選択される調節可能なサイズまたは大きさ、質量および体積を有する幾何学的な構成、形態または形状である請求項１０８記載の方法。
【請求項１１１】
前記容器の少なくとも一部が、前記活性化メカニズムによって送られる前記活性化シグナルに対して透過性であって、前記活性化メカニズムが、レーザー光の形態の前記活性化シグナルを前記容器に送る、前記液晶分子に作動可能にカップリングされた複数の前記合成分子アセンブリーを効果的に活性化するためのレーザー光源である請求項１０９記載の方法。
【請求項１１２】
前記レーザー光源活性化メカニズムが、前記レーザー光活性化シグナルを、前記液晶分子に作動可能にカップリングされた前記合成分子アセンブリーの前記原子−軸配位子ペアに送った後、前記液晶分子が前記実質的に弾性な分子リンカーの前記スプリングタイプの弾性可逆的な線状立体配座移行に応答して、前記液晶分子のディレクターとして実質的に同じ方向に沿って突然または急のジャンピング様式で制御可能に動く請求項１１１記載の方法。
【請求項１１３】
システム特性が前記選択されたユニットによって示される変化する長さの大きさに関係するようなトポグラフィーであって、前記選択されたユニットは中空繊維状構造を特徴とし、前記中空繊維状構造の前記変化する前記長さの前記大きさに関係するトポグラフィーのシステム特性が合成分子スプリングデバイスによって動的に制御可能である請求項１記載の方法。
【請求項１１４】
前記選択されたユニットの前記中空繊維状構造が、複数の前記合成分子アセンブリーの前記作動可能なカップリングのための基質として機能し、前記合成分子アセンブリーは、システムの前記結合ユニットを前記形成するために、前記中空繊維状構造の幾何学的な構成または形態に従って配置および配列される請求項１１３記載の方法。
【請求項１１５】
前記中空繊維状構造が、前記中空繊維状構造に構造的性質、機械的性質、電気的性質、物理的性質および化学的性質からなる群から選択される特定の物理化学的性質を与えるために、ポリマータイプの物質、ゲルタイプの物質、および多孔性タイプの物質からなる群から選択される少なくとも１つのタイプの物質で少なくとも一部が充填される請求項１１４記載の方法。
【請求項１１６】
前記活性化メカニズムが、前記活性化シグナルの加えられた電気ポテンシャル型を前記カップリングされたユニットの前記合成分子アセンブリーの前記所定の原子−軸配位子ペアへ送る加えられた電気ポテンシャルベースの活性化メカニズムである請求項１１４記載の方法。
【請求項１１７】
前記活性化メカニズムが、前記加えられた電気ポテンシャル活性化シグナルを、前記結合ユニットの前記合成分子アセンブリーの前記所定の原子−軸配位子ペアに送った後、前記中空繊維状構造の前記長さが実質的に弾性な分子リンカーの前記スプリングタイプの弾性可逆的な線状立体配座移行に応答して、スプリングタイプの弾性可逆的な様式で制御可能に拡張及び収縮する前記合成分子アセンブリーと作動可能にカップリングされる請求項１１６記載の方法。
【請求項１１８】
システム特性が前記選択されたユニットによって示される変化する高さの大きさに関係するようなトポグラフィーであって、前記選択されたユニットは表面構造を特徴とし、前記表面構造の前記変化する前記高さの前記大きさに関係するトポグラフィーのシステム特性が合成分子スプリングデバイスによって動的に制御可能である請求項１記載の方法。
【請求項１１９】
前記選択されたユニットの前記表面構造の露出した上側表面が、システムの前記カップリングされたユニットを前記形成するために、前記合成分子アセンブリーの複数の前記作動可能なカップリングの基質として機能する請求項１１８記載の方法。
【請求項１２０】
前記表面構造の前記露出した上側表面が、前記合成分子アセンブリーとの化学的な適合性を有し、効率的な吸着を可能にする物質である請求項１１９記載の方法。
【請求項１２１】
前記露出した上側表面の前記物質の少なくとも一部分は金、白金および銀からなる群から選択される金属である請求項１２０記載の方法。
【請求項１２２】
前記表面構造が球状、楕円状、円盤状、円筒状もしくは桿様および無定形からなる群から選択される調節可能なサイズまたは大きさ、質量および体積を有する幾何学的な構成、形態または形状である請求項１１８記載の方法。
【請求項１２３】
前記活性化メカニズムのレーザー光源タイプが、前記活性化シグナルの電磁放射線タイプを、前記カップリングされたユニットの前記合成分子アセンブリーの前記所定の原子−軸配位子ペアに送った後、前記合成分子アセンブリーと作動可能にカップリングされた前記表面構造の前記高さが前記実質的に弾性な分子リンカーの前記スプリングタイプの弾性可逆的な線状立体配座移行に応答して、スプリングタイプの弾性可逆的な様式で制御可能に拡張および収縮する請求項１１９記載の方法。
【請求項１２４】
システム特性が、前記選択されたユニットによって示される分子電気／電子導電性に関係するような電子挙動であって、前記選択されたユニットは（ｉ）電圧源、（ｉｉ）スイッチ、（ｉｉｉ）負荷または抵抗、（ｉｖ）少なくとも２つの電極、および（ｖ）電子的配線を含む電子回路を特徴とし、前記電子回路の前記分子電気／電子導電性に関係するような電子挙動のシステム特性は合成分子スプリングデバイスによって動的に制御可能である請求項１記載の方法。
【請求項１２５】
前記分子導電性の前記動的に制御可能な変化が、少なくとも１つの前記合成分子アセンブリーに電子的にカップリングされた前記電子回路である前記結合ユニットにおける指定された電気的／電子的経路に沿って生じる請求項１２４記載の方法。
【請求項１２６】
前記結合ユニットにおける前記指定された電気的／電子的経路に沿って、各前記合成分子アセンブリーに含まれる前記少なくとも１つの実質的に弾性な分子リンカーの前記スプリングタイプの弾性可逆的な移行が前記電子回路における前記分子伝導性の変化を前記動的に制御するために利用される請求項１２５記載の方法。
【請求項１２７】
前記結合ユニットは、前記合成分子アセンブリーが電子的にカップリングされた前記電子回路を特徴とし、前記分子導電性の前記動的に制御可能な変化がそれに沿って生じる前記結合ユニットの指定された電気的／電子的経路は、前記合成分子アセンブリーの前記構成成分の異なった組合わせを含む請求項１２４記載の方法。
【請求項１２８】
合成分子スプリングデバイスが、量子ドットの電子的な構成および特性を変性するために、前記合成分子アセンブリーの前記スプリングタイプの弾性可逆的な機能、構造および挙動を利用する分子レベルでのモジュレーターまたはアクチュエーターとして使用される請求項１２４記載の方法。
【請求項１２９】
前記量子ドットが、前記実質的に弾性な分子リンカーおよび前記原子に錯化された前記錯化基からなる群から選択される前記合成分子アセンブリーの前記構成成分である請求項１２８記載の方法。
【請求項１３０】
前記分子導電性の前記動的に制御可能な変化が、前記合成分子アセンブリーに電子的にカップリングされた前記電子回路である前記結合ユニットにおける前記電極間の指定された電気的／電子的経路に沿った電流または電荷の流れを動的に制御または調節することに関するものであり、合成分子スプリングデバイスの前記活性化メカニズムによって送られた前記活性化シグナルの増幅がある請求項１２４記載の方法。
【請求項１３１】
前記結合ユニットにおける前記指定された電気的／電子的経路に沿って、各前記合成分子アセンブリーに含まれる前記少なくとも１つの実質的に弾性な分子リンカーの前記スプリングタイプの弾性可逆的な移行が前記電子回路における電気的／電子的なトグル切り換えまたは連動スイッチングを動的に制御するために利用される請求項１２４記載の方法。
【請求項１３２】
前記電子回路における前記電圧源は、約−１０Ｖ〜約＋１０Ｖの範囲にある振幅を有するＤＣ印加電位およびＡＣ印加電位からなる群から選択される印加電位のタイプを作り出す請求項１２４記載の方法。
【請求項１３３】
前記電子回路における各前記電極が、ｎｍ２〜ｃｍ２の程度の範囲の導電性表面積を有する請求項１２４記載の方法。
【請求項１３４】
システム特性を動的に制御するために合成分子スプリングデバイスを含むシステムであって、以下のものを含むシステム：
（ａ）合成分子スプリングデバイス、この場合、合成分子スプリングデバイスは、
（ｉ）少なくとも１つの合成分子アセンブリーであって、それぞれの前記合成分子アセンブリーは、以下の構成成分を含む少なくとも１つの化学的ユニットまたは化学的モジュールを特徴とする：
（１）少なくとも１つの原子、
（２）前記少なくとも１つの原子の少なくとも１つに錯化した少なくとも１つの錯形成基、
（３）少なくとも１つの前記錯化した原子と可逆的に物理化学的にペアになった少なくとも１つの軸配位子、および
（４）本体部を有し、かつ２つの末端を有し、少なくとも一方の前記末端が前記合成分子アセンブリーの別の前記構成成分に化学的に結合している少なくとも１つの実質的に弾性な分子リンカー、および
（ｉｉ）それぞれの前記合成分子アセンブリーの少なくとも１つの所定の原子−軸配位子ペアに対して作動可能に向けられた活性化メカニズムを含む；ならびに
（ｂ）システムの１つの選択されたユニット（この場合、前記選択されたユニットは、合成分子スプリングデバイスによって動的に制御可能なシステム特性を示す）、
を含み、この場合、それぞれの前記合成分子アセンブリーは、結合ユニットを形成するために、前記選択されたユニットに対して作動可能にカップリングさせられ、それにより、前記活性化メカニズムが、活性化シグナルを、前記結合ユニットの少なくとも１つの前記合成分子アセンブリーの前記少なくとも１つの所定の原子−軸配位子ペアに送って、前記少なくとも１つの所定の原子−軸配位子ペアを物理化学的に変化させた後、前記結合ユニットの前記少なくとも１つの前記合成分子アセンブリーの前記少なくとも１つの実質的に弾性な分子リンカーの収縮線状立体配座状態と拡張線状立体配座状態との間、または、その拡張線状立体配座状態と収縮線状立体配座状態との間におけるスプリングタイプの弾性可逆的な移行の少なくとも１回のサイクルを活性化させ、それにより、前記選択されたユニットによって示されるシステム特性における動的に制御可能な変化を生じさせる。
【請求項１３５】
前記錯化原子と前記軸配位子との間の前記可逆的物理化学的にペアにする性質が、化学相互作用または結合であることから、一対の２つの非相互作用的、非結合的、または抗結合的成分、それによる前記合成分子アセンブリー中のすぐ近くの同じ隣位にある隣接物として位置している前記錯化原子と前記軸配位子であることまで様々なものである請求項１３４記載のシステム。
【請求項１３６】
前記化学相互作用または結合は共有結合、配位およびイオン結合からなる群から選択される請求項１３５記載のシステム。
【請求項１３７】
前記収縮線形配座状態において、前記錯化原子と前記軸配位子との間の前記可逆的物理化学的にペアにする性質が化学結合であって、前記拡張線形配座状態において、前記錯化原子と前記軸配位子との間の前記可逆的物理化学的にペアにする前記性質が一対の２つの非相互作用的、非結合的、または抗結合的成分であって、前記錯化原子および前記軸配位子が前記合成分子アセンブリー中のすぐ近くの同じ隣位にある隣接物として位置する請求項１３４記載のシステム。
【請求項１３８】
前記収縮線形配座状態において、前記錯化原子と前記軸配位子との間の前記可逆的物理化学的にペアにする性質が一対の２つの非相互作用的、非結合的または抗結合的成分であって、前記錯化原子および前記軸配位子が前記合成分子アセンブリー中のすぐ近くの同じ隣位にある隣接物として位置し、前記拡張線形配座状態において、前記錯化原子と前記軸配位子との間の前記可逆的物理化学的にペアにする性質が化学結合である請求項１３４記載のシステム。
【請求項１３９】
前記錯化原子が前記合成分子アセンブリーの別の前記成分とともに少なくとも１つの追加化学結合を形成する請求項１３４記載のシステム。
【請求項１４０】
前記原子は中性原子および陽電荷原子からなる群から選択される請求項１３４記載のシステム。
【請求項１４１】
前記原子は金属、半金属、および非金属からなる群から選択される元素の中性原子および陽電荷原子からなる群から選択される請求項１３４記載のシステム。
【請求項１４２】
前記原子は２価遷移金属カチオンおよび３価遷移金属カチオンからなる群から選択されるカチオンである請求項１３４記載のシステム。
【請求項１４３】
前記原子はマグネシウム、クロム、マンガン、鉄、ルテニウム、オスミウム、コバルト、ロジウム、ニッケル、銅、亜鉛、ケイ素、およびチタンからなる群から選択される金属元素のカチオンである請求項１３４記載のシステム。
【請求項１４４】
前記錯化基が、前記錯化基の前記錯化原子を前記合成分子アセンブリーの全体構造に対して局部的に配置するために機能する請求項１３４記載のシステム。
【請求項１４５】
前記錯化基が、前記錯化基の前記錯化原子を収縮線形配座状態と拡張線形配座状態との間の前記スプリングタイプ弾性可逆性移行を受けるために活性化される前記実質的に弾性な分子リンカーの構造および位置に対して局部的に配置するために機能する請求項１３４記載のシステム。
【請求項１４６】
前記錯化基が前記所定の原子−軸配位子ペアの結合および脱結合エネルギーを調整するために機能する請求項１３４記載のシステム。
【請求項１４７】
前記錯化基が前記分子リンカーの前記収縮線形配座状態と前記拡張線形配座状態との間の前記スプリングタイプ弾性可逆性移行を活性化するために必要とされる活性化エネルギーを調整するために機能する請求項１３４記載のシステム。
【請求項１４８】
前記錯化基が前記合成分子アセンブリーの２つの前記構成成分の間、あるいは、前記合成分子アセンブリーの前記構成成分と、前記合成分子アセンブリーに対して外部の実体の少なくとも１つのエレメントまたは構成成分との間での効率的な電気的／電子的な作動可能なカップリングまたは接続を提供するために、あるタイプの分子導電性ワイヤとして、電気的および／または電子的な伝導の媒体として使用されるために機能する請求項１３４記載のシステム。
【請求項１４９】
分子導電性ワイヤの前記タイプとして機能する前記錯化基の化学タイプ、構造幾何学的な構成または形態、および大きさが、前記合成分子アセンブリーの少なくとも一部を含む電気的／電子的な回路の指定された電気的／電子的経路に沿った電気的／電子的な電荷流を最適化するために選択される請求項１４８記載のシステム。
【請求項１５０】
前記錯化基が、様々な程度または範囲の共有原子価、配位、またはイオン強度の少なくとも１つの化学結合を介して前記原子と錯化され、可変寸法および柔軟性を有する可変幾何学形状または形態を有する請求項１３４記載のシステム。
【請求項１５１】
前記錯化基は、環式化合物、多環式化合物、非環式化合物、線状化合物、枝分かれ化合物、およびこれらの組合わせからなる群から選択される化合物である請求項１３４記載のシステム。
【請求項１５２】
前記錯化基は、マクロヘテロ環式化合物およびマクロ環式化合物からなる群から選択される環式化合物である請求項１３４記載のシステム。
【請求項１５３】
前記錯化基は、ポリアザ大環、クラウンエーテルおよびクリプテートからなる群から選択されるマクロヘテロ環式化合物である請求項１３４記載のシステム。
【請求項１５４】
前記錯化基は、テトラピロール、フタロシアニンおよびナフタロシアニンからなる群から選択される化合物のポリアザ大環タイプである請求項１３４記載のシステム。
【請求項１５５】
前記錯化基は、ポルフィリン、クロリン、バクテリオクロリン、コロールおよびポルフィセンからなる群から選択される化合物のテトラピロールタイプである請求項１３４記載のシステム。
【請求項１５６】
前記錯化基は、ポルフィリン、置換ポルフィリン、ジヒドロポルフィリン、置換ジヒドロポルフィリン、テトラヒドロポルフィリン、および置換テトラヒドロポルフィリンからなる群から選択される大環状化合物である請求項１３４記載のシステム。
【請求項１５７】
前記錯化基は、開放テトラピロールからなる群から選択される非環式化合物である請求項１３４記載のシステム。
【請求項１５８】
前記錯化基は、フィコシアノビリンおよびフィコエリトロビリンからなる群から選択される非環式化合物の開放テトラピロールタイプである請求項１３４記載のシステム。
【請求項１５９】
前記錯化基が、前記原子をキレート化する化学キレート化剤として機能し、これによって前記原子とともにキレートを形成する化合物である請求項１３４記載のシステム。
【請求項１６０】
前記軸配位子が、前記錯化原子に加えて、前記合成分子アセンブリーの少なくとも１つの他の前記成分と化学的に相互作用を行なうために機能する請求項１３４記載のシステム。
【請求項１６１】
前記軸配位子が、前記錯化原子に加えて、追加前記錯化原子、前記錯化基および前記実質的に弾性な分子リンカーからなる群から選択される、前記合成分子アセンブリーの少なくとも１つの他の前記成分と化学的に相互作用を行なうために機能する請求項１３４記載のシステム。
【請求項１６２】
前記軸配位子が、前記原子との少なくとも１つの配位結合相互作用、および前記合成分子アセンブリーの少なくとも１つの他の前記成分との少なくとも１つの追加の前記結合相互作用を生じることによって、前記実質的に弾性な分子リンカーの収縮線形配座状態と拡張線形配座状態との間の前記可逆性移行を誘発するために機能する請求項１３４記載のシステム。
【請求項１６３】
前記軸配位子が前記所定の原子−軸配位子ペアの結合および脱結合エネルギーを調整するために機能する請求項１３４記載のシステム。
【請求項１６４】
前記軸配位子が前記分子リンカーの前記収縮線形配座状態と前記拡張線形配座状態との間の前記スプリングタイプ弾性可逆性移行を活性化するために必要とされる活性化エネルギーを調整するために機能する請求項１３４記載のシステム。
【請求項１６５】
前記軸配位子が前記合成分子アセンブリーの２つの前記構成成分の間、あるいは、前記合成分子アセンブリーの前記構成成分と、前記合成分子アセンブリーに対して外部の実体の少なくとも１つのエレメントまたは構成成分との間での効率的な電気的／電子的な作動可能なカップリングまたは接続を提供するために、あるタイプの分子導電性ワイヤとして、電気的および／または電子的な伝導の媒体として使用されるために機能する請求項１３４記載のシステム。
【請求項１６６】
分子導電性ワイヤの前記タイプとして機能する前記軸配位子の化学タイプ、構造幾何学的な構成または形態、および大きさが、前記合成分子アセンブリーの少なくとも一部を含む電気的／電子的な回路の指定された電気的／電子的経路に沿った電気的／電子的な電荷流を最適化するために選択される請求項１６５記載のシステム。
【請求項１６７】
前記軸配位子が、前記原子を前記合成分子アセンブリーの全体構造に対して局部的に配置するために機能する請求項１３４記載のシステム。
【請求項１６８】
前記軸配位子は単座配位子、二座配位子、三座配位子、および多座配位子からなる群から選択される１つのタイプの配位子である請求項１３４記載のシステム。
【請求項１６９】
前記軸配位子は、アニオン性化合物および中性化合物からなる群から選択される化合物である請求項１３４記載のシステム。
【請求項１７０】
前記軸配位子が、ルイス酸として挙動する電子リッチ領域または基を特徴とする中性化合物である請求項１３４記載のシステム。
【請求項１７１】
前記軸配位子は、ヘテロ環、架橋へテロ環、アミン、エーテル、アルコール、イソ−シアニド、ポリヘテロ環、アミド、チオール、不飽和化合物、アルキルハロゲン化物およびニトロ化合物からなる群から選択される中性化合物である請求項１３４記載のシステム。
【請求項１７２】
前記軸配位子は、置換ピリジン、置換イミダゾール、４，４’−ビピリジン、および１，３−ジアミノプロパンからなる群から選択される中性化合物である請求項１３４記載のシステム。
【請求項１７３】
前記軸配位子は、シアニド、酸およびカルボン酸からなる群から選択されるアニオン性化合物である請求項１３４記載のシステム。
【請求項１７４】
前記軸配位子は、物理化学的挙動の２つのタイプの領域を特徴とし、物理化学的挙動の第一の前記タイプの領域は、前記錯化原子との配位結合相互作用に参加する前記軸配位子の部分に対応し、物理化学的挙動の第二の前記タイプの領域は、前記軸配位子の前記最初の２つのタイプの領域の間を連結するか、あるいは前記第一のタイプの領域と前記合成分子アセンブリーの別の前記成分との間を連結する、前記軸配位子の部分に対応する請求項１３４記載のシステム。
【請求項１７５】
前記軸配位子の物理化学的挙動の前記第二のタイプの領域は、前記スプリングタイプ弾性可逆性機能および前記実質的に弾性な分子リンカーの挙動を特徴とする請求項１７４記載のシステム。
【請求項１７６】
前記軸配位子は、２つの前記錯化原子の各々と可逆的物理化学的にペアになった軸二座配位子であり、これによって、前記軸二座配位子の本体は、本体を有し、かつ各々がそれぞれ前記軸二座配位子の単一末端に化学結合している２つの末端を有する、前記実質的に弾性の分子リンカーである請求項１３４記載のシステム。
【請求項１７７】
前記実質的に弾性な分子リンカーが、前記合成分子アセンブリーの前記収縮および拡張線形配座状態に関し、前記合成分子アセンブリーの物理的幾何学的線形スペーサーとして機能する請求項１３４記載のシステム。
【請求項１７８】
前記実質的に弾性な分子リンカーが、前記合成分子アセンブリーの少なくとも１つの任意に規定されている軸に沿う規定された軌道にしたがって、線形配座状態における前記移行の間、結果として生じる平行移動または線形運動を指向するために機能する請求項１３４記載のシステム。
【請求項１７９】
前記実質的に弾性な分子リンカーが、前記合成分子アセンブリーの２つの前記構成成分の間、あるいは、前記合成分子アセンブリーの前記構成成分と前記合成分子アセンブリーに対して外部の実体の少なくとも１つのエレメントまたは構成成分との間での効率的な電気的／電子的な作動可能なカップリングまたは接続を提供するために、あるタイプの分子導電性ワイヤとして、電気的および／または電子的な伝導の媒体として使用されるために機能する請求項１３４記載のシステム。
【請求項１８０】
分子導電性ワイヤの前記タイプとして機能する前記実質的に弾性な分子リンカーの化学タイプ、構造幾何学的な構成または形態、および大きさが、前記合成分子アセンブリーの少なくとも一部を含む電気的／電子的な回路の指定された電気的／電子的経路に沿った電気的／電子的な電荷流を最適化するために選択される請求項１７９記載のシステム。
【請求項１８１】
前記実質的に弾性な分子リンカーが、前記原子、前記錯化基および前記軸配位子からなる群から選択される前記合成分子アセンブリーの別の前記成分に化学結合された少なくとも１つの末端を有する請求項１３４記載のシステム。
【請求項１８２】
前記実質的に弾性な分子リンカーが、異なった単一前記錯化基に化学結合されている２つの末端のそれぞれを有する請求項１３４記載のシステム。
【請求項１８３】
前記実質的に弾性な分子リンカーが、少なくとも２つの個々の原子および少なくとも２つの分子からなる群から選択される化学的実体である請求項１３４記載のシステム。
【請求項１８４】
前記実質的に弾性な分子リンカーが、可変長さ、枝分かれ、および飽和を有する分子鎖、様々な一、二、または多−官能基を有する環式化合物、様々な一、二、または多−官能基を有する芳香族化合物、およびこれらの組合わせからなる群から選択される化学的実体である請求項１３４記載のシステム。
【請求項１８５】
前記実質的に弾性な分子リンカーが、アルカン、アルケン、アルキン、置換フェニル、アルコール、エーテル、モノ−（アリーレンエチニレン）、オリゴ−（アリーレンエチニレン）、ポリ（アリーレンエチニレン）、および（フェニレンエチニレン）からなる群から選択される化合物である請求項１３４記載のシステム。
【請求項１８６】
前記実質的に弾性な分子リンカーが、Ｃ２アルキン、Ｃ４アルキン、Ｃ６アルキン、１，４−置換フェニル、１，４−置換ビシクロ［２．２．２］オクタン、およびジエーテルからなる群から選択される化合物である請求項１３４記載のシステム。
【請求項１８７】
前記活性化シグナルが、各々が規定されている振幅および持続時間を有する２つの制御可能な一般的な相補レベルを有する請求項１３４記載のシステム。
【請求項１８８】
前記活性化シグナルの前記一般的な第一相補レベルは、対応する前記活性化メカニズムの操作と一貫性のある可逆的物理化学メカニズムの第一指向を介して、前記原子−軸配位子ペアを物理化学的に変性するために前記少なくとも１つの所定の原子−軸配位子ペアに送られ、これにより、前記少なくとも１つの実質的に弾性な分子リンカーの前記収縮線形配座状態から前記拡張線形配座状態への前記スプリングタイプ弾性可逆性移行が活性化され、これにより、前記活性化シグナルの前記一般的な第二相補レベルによって、前記少なくとも１つの実質的に弾性な分子リンカーが前記収縮配座状態に戻ることができる請求項１８７記載のシステム。
【請求項１８９】
前記活性化シグナルの前記一般的な第一相補レベルによって、前記少なくとも１つの実質的に弾性な分子リンカーが、前記収縮配座状態に戻ることができ、これにより前記活性化シグナルの前記一般的な第二相補レベルは、対応する前記活性化メカニズムの操作と一貫性のある可逆的物理化学メカニズムの第二指向を介して、前記原子−軸配位子ペアを物理化学的に変性するために前記少なくとも１つの所定の原子−軸配位子ペアに送られ、これにより、前記少なくとも１つの実質的に弾性な分子リンカーの前記拡張線形配座状態から前記収縮線形配座状態への前記スプリングタイプ弾性可逆性移行が活性化される請求項１８７記載のシステム。
【請求項１９０】
前記活性化シグナルの各前記一般的相補レベルは、規模、強さ、振幅、または強度を有する少なくとも１つの特定のサブレベルを特徴とする請求項１８７記載のシステム。
【請求項１９１】
前記活性化メカニズムの操作パラメーターは、前記少なくとも１つの所定の原子−軸配位子ペアに送られる前記活性化シグナルの前記一般的な相補レベルの（１）規模、強さ、振幅、または強度、（２）頻度、（３）時間または持続時間、（４）反復率または周期性、および（５）スイッチ率からなる群から選択される請求項１８７記載のシステム。
【請求項１９２】
前記活性化メカニズムは、前記活性化シグナルの電磁型を送る電磁メカニズム、前記活性化シグナルの電気／電子型を送る電気／電子メカニズム、前記活性化シグナルの化学型を送る化学的メカニズム、前記活性化シグナルの電気化学型を送る電気化学メカニズム、前記活性化シグナルの磁気型を送る磁気メカニズム、前記活性化シグナルの音響型を送る音響メカニズム、前記活性化シグナルの光音響型を送る光音響メカニズム、および前記活性化シグナルの組合わせ型を送るこれらの組合わせからなる群から選択されるメカニズムの型である請求項１３４記載のシステム。
【請求項１９３】
前記活性化メカニズムは、前記活性化シグナルのレーザービーム型を送るレーザービームベース活性化メカニズム、前記活性化シグナルのメーザービーム型を送るメーザービームベース活性化メカニズム、およびこれらの組合わせからなる群から選択される活性化メカニズムの電磁型である請求項１３４記載のシステム。
【請求項１９４】
前記活性化メカニズムは、前記活性化シグナルの電流型を送る電流ベース活性化メカニズム、前記活性化シグナルの加えられた電気ポテンシャル型を送る加えられた電気ポテンシャルベース活性化メカニズムおよびこれらの組合わせからなる群から選択される活性化メカニズムの電気／電子型である請求項１３４記載のシステム。
【請求項１９５】
前記活性化メカニズムは、前記活性化シグナルのプロトネーション−デプロトネーション型を送るプロトネーション−デプロトネーションベース活性化メカニズム、前記活性化シグナルのｐＨ変化型を送るｐＨ変化ベース活性化メカニズム、前記活性化シグナルの濃度変化型を送る濃度変化ベース活性化メカニズム、およびこれらの組合わせからなる群から選択される活性化メカニズムの化学型である請求項１３４記載のシステム。
【請求項１９６】
前記活性化メカニズムが、前記活性化シグナルの還元／酸化型を発生させて送る還元／酸化ベース電気化学型活性化メカニズムである請求項１３４記載のシステム。
【請求項１９７】
前記活性化メカニズムの特定のタイプおよび操作パラメータは、前記合成分子アセンブリーの前記構成成分の物理化学的なタイプおよび構造にしたがって選択される請求項１３４記載のシステム。
【請求項１９８】
前記活性化メカニズムは前記合成分子アセンブリーの少なくとも１つの前記所定の原子−軸配位子ペアを前記物理化学的に変性するために、約３５０ｎｍ〜約９００ｎｍの範囲内にある波長を有するレーザー光ビームとして前記活性化シグナルの電磁型を送るレーザービームベースの前記活性化メカニズムの電磁型である請求項１３４記載のシステム。
【請求項１９９】
前記レーザービームがＨｚ程度〜ＭＨｚ程度の範囲内にある繰返し率において操作する請求項１９８記載のシステム。
【請求項２００】
前記レーザービームが４０ＭＨｚの繰返し率において操作する請求項１９８記載のシステム。
【請求項２０１】
前記活性化メカニズムが還元／酸化ベースの活性化メカニズムの電気化学型であって、前記合成分子アセンブリーの少なくとも１つの前記所定の原子−軸配位子ペアを前記物理化学的に変性するために、約−１．０Ｖ〜約−２．５Ｖ対飽和カロメル参照電極の範囲内にある還元ポテンシャルとしての前記活性化シグナルの電気化学還元型を送り、約＋０．５Ｖ〜約＋１．３Ｖ対前記飽和カロメル参照電極の範囲内にある酸化ポテンシャルとしての前記活性化シグナルの電気化学酸化型を送る請求項１３４記載のシステム。
【請求項２０２】
前記活性化メカニズムがプロトネーション／デプロトネーションベースの活性化メカニズムの化学型であって、前記合成分子アセンブリーの少なくとも１つの前記所定の原子−軸配位子ペアを前記物理化学的に変性するために、アセトニトリルの酸性溶液およびＨＣｌの希釈水溶液／酸性アセトニトリル溶液として、前記活性化シグナルの化学プロトネーション型を送り、アセトニトリルと希釈ＮａＯＨとの塩基性溶液として、前記活性化シグナルの化学デプロトネーション型を送る請求項１３４記載のシステム。
【請求項２０３】
前記合成分子アセンブリーの前記化学ユニットまたはモジュールが：（５）前記合成分子アセンブリーの前記構成成分を相互に化学的に接続するための少なくとも１つの化学的コネクター、をさらに含む請求項１３４記載のシステム。
【請求項２０４】
前記化学的コネクターが前記合成分子アセンブリーの別の前記成分に対して追加の構造的制約を与えるために機能する請求項２０３記載のシステム。
【請求項２０５】
前記化学的コネクターが原子および分子からなる群から選択される化学的実体である請求項２０３記載のシステム。
【請求項２０６】
前記合成分子アセンブリーの前記化学ユニットまたはモジュールが：（６）前記合成分子アセンブリーの別の前記構成成分の所定の位置にそれぞれが配置された少なくとも１つの結合部位で、前記合成分子アセンブリーの前記位置を、前記合成分子アセンブリーに対して外部の実体に結合するか、または作動可能にカップリングするための少なくとも１つの結合部位、をさらに含む請求項１３４記載のシステム。
【請求項２０７】
前記結合部位が、電気的または電子的な伝導の媒体として、あるタイプの分子導電性ワイヤとして使用されるために、前記合成分子アセンブリーの２つの前記構成成分の間、または前記合成分子アセンブリーの前記構成成分と、前記合成分子アセンブリーに対して外部の実体の少なくとも１つのエレメントまたは構成成分との間での効率的な電気的／電子的な作動可能なカップリングまたは接続を提供するために機能する請求項２０６記載のシステム。
【請求項２０８】
前記タイプの分子導電性ワイヤとして機能する前記結合部位の化学タイプ、構造幾何学的な構成または形態、および大きさが、前記合成分子アセンブリーの少なくとも一部を含む電気的／電子的な回路の指定された電気的／電子的経路に沿った電気的／電子的な電荷流を最適化するために選択される請求項２０７記載のシステム。
【請求項２０９】
前記分子導電性ワイヤとして機能する前記結合部位は、ナノチューブ、多共役ポリマー、ＤＮＡをテンプレートとする金または銀の導電性ワイヤ、多芳香族分子、置換された多芳香族分子、および、少なくとも１つのチオール官能基を含む置換された多芳香族分子からなる群から選択される化学的実体である請求項２０８記載のシステム。
【請求項２１０】
前記結合部位が、複数の前記結合部位によって相互に化学的に接続または結合された複数の前記化学的ユニットまたは化学的モジュールを特徴とする、前記合成分子アセンブリーのポリ分子形態のスケールアップされたアセンブリーにおいて接続性および方向づけられたモジュール性を提供するために機能する請求項２０６記載のシステム。
【請求項２１１】
前記結合部位が、前記合成分子アセンブリーへ認識部位を供給するために機能する請求項２０６記載のシステム。
【請求項２１２】
前記結合部位が、前記合成分子アセンブリーへ認識部位を供給するために機能し、前記結合部位が少なくとも１つの特定の抗体によって認識されるために少なくとも１つのレセプターを特徴とする請求項２０６記載のシステム。
【請求項２１３】
前記結合部位が、様々な程度または範囲の共有原子価、配位、またはイオン強度の少なくとも１つの化学結合を介して、前記合成分子アセンブリーの少なくとも１つの他の前記成分へ化学結合されている化学的実体であって、可変寸法および柔軟性を有する可変幾何学形状または形態を有する請求項２０６記載のシステム。
【請求項２１４】
前記結合部位は、原子、分子、介在スペーサーアーム、架橋基、キャリヤー分子、およびこれらの組合わせからなる群から選択される化学的実体である請求項２０６記載のシステム。
【請求項２１５】
前記合成分子アセンブリーが、単一の前記合成分子アセンブリーの前記化学ユニットまたはモジュールの複数の少なくとも２つを組立てて連結することによって形成されたスケールアップされた前記合成分子アセンブリーであって、前記スケールアップされた合成分子アセンブリーの各前記化学ユニットまたはモジュールは前記成分を含み、単一の前記化学ユニットまたはモジュールの機能性を示す請求項１３４記載のシステム。
【請求項２１６】
前記スケールアップされた合成分子アセンブリーは、前記複数の前記化学ユニットまたはモジュールの一次元アレー、二次元アレー、三次元アレー、およびこれらの組合わせからなる群から選択される可変幾何学形状または形態であり、可変大きさおよび柔軟性を有する請求項２１５記載のシステム。
【請求項２１７】
前記スケールアップされた合成分子アセンブリーの各前記化学ユニットまたはモジュールが、機能的および構造的に前記スケールアップされた合成分子アセンブリーの一部であることに加えて、その個々の機能および構造を保持する請求項２１５記載のシステム。
【請求項２１８】
前記単一の化学ユニットまたはモジュールの前記スプリングタイプ弾性可逆性機能、構造、および挙動に関係する機能的および構造的特徴は、前記スケールアップされた合成分子アセンブリーの前記複数の前記化学ユニットまたはモジュールの数および幾何学形状または形態にしたがって、効果的に線形に拡張可能であること、および相乗作用的に拡張可能であることからなる群から選択されるように拡張可能である請求項２１５記載のシステム。
【請求項２１９】
前記結合ユニットを形成するために、それぞれの合成分子アセンブリーを前記選択されたユニットに前記作動可能なカップリングが、前記合成分子アセンブリーの少なくとも１つの前記構成成分を、システムの前記選択されたユニットの少なくとも１つのエレメントまたは構成成分にカップリングすることによって行われる請求項１３４記載のシステム。
【請求項２２０】
前記結合ユニットを形成するために、それぞれの合成分子アセンブリーを前記選択されたユニットに前記作動可能なカップリングが、前記合成分子アセンブリーの少なくとも１つの前記構成成分を、システムの前記選択されたユニットの少なくとも１つのエレメントまたは構成成分にカップリングすることによって行われ、物理的カップリング機構、化学的カップリング機構、物理化学的カップリング機構、それらの組合せ、およびそれらの一体化からなる群から選択されるカップリング機構を使用することによって行われる請求項１３４記載のシステム。
【請求項２２１】
前記結合ユニットを形成するために、それぞれの合成分子アセンブリーを前記選択されたユニットに前記作動可能なカップリングが、前記合成分子アセンブリーの少なくとも１つの前記構成成分を、システムの前記選択されたユニットの少なくとも１つのエレメントまたは構成成分にカップリングすることによって行われ、物理的吸着、物理的吸収、非結合性の物理的相互作用、機械的カップリング、単純な並置、電気的カップリング、電子的カップリング、磁気的カップリング、電磁的カップリング、電気機械的カップリング、磁気機械的カップリング、それらの組合せ、およびそれらの一体化からなる群から選択される物理的カップリング機構を使用することによって行われる請求項１３４記載のシステム。
【請求項２２２】
前記結合ユニットを形成するために、それぞれの合成分子アセンブリーを前記選択されたユニットに前記作動可能なカップリングが、前記合成分子アセンブリーの少なくとも１つの前記構成成分を、システムの前記選択されたユニットの少なくとも１つのエレメントまたは構成成分にカップリングすることによって行われ、共有結合型の化学結合、配位型の化学結合、イオン型の化学結合、水素型の化学結合、ファンデルワールス型の化学結合、それらの組合せ、およびそれらの一体化からなる群から選択される化学的カップリング機構を使用することによって行われる請求項１３４記載のシステム。
【請求項２２３】
前記結合ユニットを形成するために、それぞれの合成分子アセンブリーを前記選択されたユニットに前記作動可能なカップリングが、前記合成分子アセンブリーの少なくとも１つの前記構成成分を、システムの前記選択されたユニットの少なくとも１つのエレメントまたは構成成分にカップリングすることによって行われ、物理的カップリング機構の電気型を、前記化学的カップリング機構の少なくとも１つとの組合せまたは一体化で使用することによって行われ、電気コンダクタンス、電子コンダクタンスおよび電子トンネル効果からなる群から選択される少なくとも１つの現象が、前記合成分子アセンブリーの前記少なくとも１つの構成成分と、システムの前記選択されたユニットの前記作動可能にカップリングされた前記少なくとも１つのエレメントまたは構成成分との間で生じる請求項２２２記載のシステム。
【請求項２２４】
前記結合ユニットを形成するために、それぞれの合成分子アセンブリーを前記選択されたユニットに前記作動可能なカップリングが、前記合成分子アセンブリーの少なくとも１つの前記構成成分を、システムの前記選択されたユニットの少なくとも１つのエレメントまたは構成成分にカップリングすることによって行われ、物理的カップリング機構の電子型を、前記化学的カップリング機構の少なくとも１つとの組合せまたは一体化で使用することによって行われ、電気コンダクタンス、電子コンダクタンスおよび電子トンネル効果からなる群から選択される少なくとも１つの現象が、前記合成分子アセンブリーの前記少なくとも１つの構成成分と、システムの前記選択されたユニットの前記作動可能にカップリングされた前記少なくとも１つのエレメントまたは構成成分との間で生じる請求項２２２記載のシステム。
【請求項２２５】
システム特性が運動量である請求項１３４記載のシステム。
【請求項２２６】
システム特性がトポグラフィーである請求項１３４記載のシステム。
【請求項２２７】
システム特性が電子挙動である請求項１３４記載のシステム。
【請求項２２８】
システム特性が、システムの前記選択されたユニットによって示される粒子運動に関係するような運動量である請求項１３４記載のシステム。
【請求項２２９】
システム特性が、システムの前記選択されたユニットによって示される方向配向した分子運動に関係するような運動量である請求項１３４記載のシステム。
【請求項２３０】
システム特性が、システムの前記選択されたユニットによって示される長さおよび高さからなる群から選択される変化する大きさに関係するようなトポグラフィーである請求項１３４記載のシステム。
【請求項２３１】
システム特性が、システムの前記選択されたユニットによって示される分子電気／電子導電性に関係するような電子挙動である請求項１３４記載のシステム。
【請求項２３２】
システム特性が、システムの前記選択されたユニットによって示される電気的／電子的なトグル切り換えまたは連動スイッチングに関する分子導電性に関係するような電子挙動である請求項１３４記載のシステム。
【請求項２３３】
システム特性が、前記選択されたユニットによって示される粒子運動に関係するような運動量であって、前記選択されたユニットは容器に含有される溶媒に懸濁または可溶化された粒子を特徴とし、前記粒子の前記粒子運動に関係する運動量のシステム特性は合成分子スプリングデバイスによって動的に制御可能である請求項１３４記載のシステム。
【請求項２３４】
前記選択されたユニットの前記粒子がシステムの前記結合ユニットを前記形成するために複数の前記合成分子アセンブリーの前記作動可能なカップリングにおける可動性の基質として機能する請求項２３３記載のシステム。
【請求項２３５】
前記粒子が調節可能なサイズまたは大きさ、質量および体積を有する様々な幾何学的な構成、形態または形状である請求項２３３記載のシステム。
【請求項２３６】
前記粒子がセンチメートル〜オングストロームの範囲の程度のサイズまたは大きさを有する球状、楕円状、円盤状、円筒状もしくは桿様、多角形状および無定形からなる群から選択される幾何学的な構成、形態または形状である請求項２３３記載のシステム。
【請求項２３７】
前記選択されたユニットが、前記溶媒における金粒子の懸濁物であって、それにより、複数の前記合成分子アセンブリーは、システムの前記結合ユニットを形成するために、前記金粒子の表面に吸着によって前記作動可能にカップリングされる請求項２３３記載のシステム。
【請求項２３８】
前記選択されたユニットの前記容器は、開放容器、閉じた容器、メンブラン、小胞、および類似するタイプの前記容器からなる群から選択される請求項２３３記載のシステム。
【請求項２３９】
前記容器の少なくとも一部が、前記活性化メカニズムによって送られる前記活性化シグナルに対して透過性であって、前記活性化メカニズムが、レーザー光の形態の前記活性化シグナルを前記容器に送る、前記粒子に作動可能にカップリングされた複数の前記合成分子アセンブリーを効果的に活性化するためのレーザー光源である請求項２３３記載のシステム。
【請求項２４０】
前記レーザー光源活性化メカニズムが、前記レーザー光活性化シグナルを、前記粒子に作動可能にカップリングされた前記合成分子アセンブリーの前記原子−軸配位子ペアに送った後、前記活性化シグナルの方向を向く前記原子−軸配位子ペアを有する前記合成分子アセンブリーと作動可能にカップリングされた前記粒子が、前記実質的に弾性な分子リンカーの前記スプリングタイプの弾性可逆的な線状立体配座移行に応答して、突然または急のジャンピング様式またはスイミング様式で制御可能に動き、これに対して、前記容器の暗い面の方向を向く前記原子−軸配位子ペアを有する前記合成分子アセンブリーは、前記活性化メカニズムにより送られる前記レーザー光活性化シグナルによって影響されず、前記スプリングタイプの弾性可逆的な移行を受けない請求項２３９記載のシステム。
【請求項２４１】
前記システム特性が前記選択されたユニットによって示される方向配向した分子運動に関係するような運動量であって、前記選択されたユニットは容器に含有される液体に可溶化または混合され、分子配向ディレクター機構の影響にさらされる方向配向可能な分子を特徴とし、前記方向配向可能な分子の前記方向配向した分子運動に関係する運動量のシステム特性は前記合成分子スプリングデバイスによって動的に制御可能である請求項１３４記載のシステム。
【請求項２４２】
前記方向配向可能な分子が液晶分子であって、前記分子配向ディレクター機構は液晶ディレクター機構であって、前記選択されたユニットは、前記容器に含有される前記液体に可溶化または混合され、前記液晶ディレクター機構の影響にさらされる前記液晶分子を特徴とする請求項２４１記載のシステム。
【請求項２４３】
前記液晶分子が円筒状もしくは桿様、球状、楕円状、円盤状および多角形状からなる群から選択される調節可能なサイズまたは大きさ、質量および体積を有する幾何学的な構成、形態または形状である請求項２４２記載のシステム。
【請求項２４４】
前記容器の少なくとも一部が、前記活性化メカニズムによって送られる前記活性化シグナルに対して透過性であって、前記活性化メカニズムが、レーザー光の形態の前記活性化シグナルを前記容器に送る、前記液晶分子に作動可能にカップリングされた複数の前記合成分子アセンブリーを効果的に活性化するためのレーザー光源である請求項２４２記載のシステム。
【請求項２４５】
前記レーザー光源活性化メカニズムが、前記レーザー光活性化シグナルを、前記液晶分子に作動可能にカップリングされた前記合成分子アセンブリーの前記原子−軸配位子ペアに送った後、前記液晶分子が前記実質的に弾性な分子リンカーの前記スプリングタイプの弾性可逆的な線状立体配座移行に応答して、前記液晶分子のディレクターとして実質的に同じ方向に沿って突然または急のジャンピング様式で制御可能に動く請求項２４４記載のシステム。
【請求項２４６】
システム特性が前記選択されたユニットによって示される変化する長さの大きさに関係するようなトポグラフィーであって、前記選択されたユニットは中空繊維状構造を特徴とし、前記中空繊維状構造の前記変化する前記長さの前記大きさに関係するトポグラフィーのシステム特性が合成分子スプリングデバイスによって動的に制御可能である請求項１３４記載のシステム。
【請求項２４７】
前記選択されたユニットの前記中空繊維状構造が、複数の前記合成分子アセンブリーの前記作動可能なカップリングのための基質として機能し、前記合成分子アセンブリーは、システムの前記結合ユニットを前記形成するために、前記中空繊維状構造の幾何学的な構成または形態に従って配置および配列される請求項２４６記載のシステム。
【請求項２４８】
前記中空繊維状構造が、前記中空繊維状構造に構造的性質、機械的性質、電気的性質、物理的性質および化学的性質からなる群から選択される特定の物理化学的性質を与えるために、ポリマータイプの物質、ゲルタイプの物質、および多孔性タイプの物質からなる群から選択される少なくとも１つのタイプの物質で少なくとも一部が充填される請求項２４７記載のシステム。
【請求項２４９】
前記活性化メカニズムが、前記活性化シグナルの加えられた電気ポテンシャル型を前記カップリングされたユニットの前記合成分子アセンブリーの前記所定の原子−軸配位子ペアへ送る加えられた電気ポテンシャルベースの活性化メカニズムである請求項２４７記載のシステム。
【請求項２５０】
前記活性化メカニズムが、前記加えられた電気ポテンシャル活性化シグナルを、前記結合ユニットの前記合成分子アセンブリーの前記所定の原子−軸配位子ペアに送った後、前記中空繊維状構造の前記長さが実質的に弾性な分子リンカーの前記スプリングタイプの弾性可逆的な線状立体配座移行に応答して、スプリングタイプの弾性可逆的な様式で制御可能に拡張及び収縮する前記合成分子アセンブリーと作動可能にカップリングされる請求項２４９記載のシステム。
【請求項２５１】
システム特性が前記選択されたユニットによって示される変化する高さの大きさに関係するようなトポグラフィーであって、前記選択されたユニットは表面構造を特徴とし、前記表面構造の前記変化する前記高さの前記大きさに関係するトポグラフィーのシステム特性が合成分子スプリングデバイスによって動的に制御可能である請求項１３４記載のシステム。
【請求項２５２】
前記選択されたユニットの前記表面構造の露出した上側表面が、システムの前記カップリングされたユニットを前記形成するために、前記合成分子アセンブリーの複数の前記作動可能なカップリングの基質として機能する請求項２５１記載のシステム。
【請求項２５３】
前記表面構造の前記露出した上側表面が、前記合成分子アセンブリーとの化学的な適合性を有し、効率的な吸着を可能にする物質である請求項２５２記載のシステム。
【請求項２５４】
前記露出した上側表面の前記物質の少なくとも一部分は金、白金および銀からなる群から選択される金属である請求項２５３記載のシステム。
【請求項２５５】
前記表面構造が球状、楕円状、円盤状、円筒状もしくは桿様および無定形からなる群から選択される調節可能なサイズまたは大きさ、質量および体積を有する幾何学的な構成、形態または形状である請求項２５１記載のシステム。
【請求項２５６】
前記活性化メカニズムのレーザー光源タイプが、前記活性化シグナルの電磁放射線タイプを、前記カップリングされたユニットの前記合成分子アセンブリーの前記所定の原子−軸配位子ペアに送った後、前記合成分子アセンブリーと作動可能にカップリングされた前記表面構造の前記高さが前記実質的に弾性な分子リンカーの前記スプリングタイプの弾性可逆的な線状立体配座移行に応答して、スプリングタイプの弾性可逆的な様式で制御可能に拡張および収縮する請求項２５２記載のシステム。
【請求項２５７】
システム特性が、前記選択されたユニットによって示される分子電気／電子導電性に関係するような電子挙動であって、前記選択されたユニットは（ｉ）電圧源、（ｉｉ）スイッチ、（ｉｉｉ）負荷または抵抗、（ｉｖ）少なくとも２つの電極、および（ｖ）電子的配線を含む電子回路を特徴とし、前記電子回路の前記分子電気／電子導電性に関係するような電子挙動のシステム特性は合成分子スプリングデバイスによって動的に制御可能である請求項１３４記載のシステム。
【請求項２５８】
前記分子導電性の前記動的に制御可能な変化が、少なくとも１つの前記合成分子アセンブリーに電子的にカップリングされた前記電子回路である前記結合ユニットにおける指定された電気的／電子的経路に沿って生じる請求項２５７記載のシステム。
【請求項２５９】
前記結合ユニットにおける前記指定された電気的／電子的経路に沿って、各前記合成分子アセンブリーに含まれる前記少なくとも１つの実質的に弾性な分子リンカーの前記スプリングタイプの弾性可逆的な移行が前記電子回路における前記分子伝導性の変化を前記動的に制御するために利用される請求項２５８記載のシステム。
【請求項２６０】
前記結合ユニットは、前記合成分子アセンブリーが電子的にカップリングされた前記電子回路を特徴とし、前記分子導電性の前記動的に制御可能な変化がそれに沿って生じる前記結合ユニットの指定された電気的／電子的経路は、前記合成分子アセンブリーの前記構成成分の異なった組合わせを含む請求項２５７記載のシステム。
【請求項２６１】
合成分子スプリングデバイスが、量子ドットの電子的な構成および特性を変性するために、前記合成分子アセンブリーの前記スプリングタイプの弾性可逆的な機能、構造および挙動を利用する分子レベルでのモジュレーターまたはアクチュエーターとして使用される請求項２５７記載のシステム。
【請求項２６２】
前記量子ドットが、前記実質的に弾性な分子リンカーおよび前記原子に錯化された前記錯化基からなる群から選択される前記合成分子アセンブリーの前記構成成分である請求項２６１記載のシステム。
【請求項２６３】
前記分子導電性の前記動的に制御可能な変化が、前記合成分子アセンブリーに電子的にカップリングされた前記電子回路である前記結合ユニットにおける前記電極間の指定された電気的／電子的経路に沿った電流または電荷の流れを動的に制御または調節することに関するものであり、合成分子スプリングデバイスの前記活性化メカニズムによって送られた前記活性化シグナルの増幅がある請求項２５７記載のシステム。
【請求項２６４】
前記結合ユニットにおける前記指定された電気的／電子的経路に沿って、各前記合成分子アセンブリーに含まれる前記少なくとも１つの実質的に弾性な分子リンカーの前記スプリングタイプの弾性可逆的な移行が前記電子回路における電気的／電子的なトグル切り換えまたは連動スイッチングを動的に制御するために利用される請求項２５７記載のシステム。
【請求項２６５】
前記電子回路における前記電圧源は、約−１０Ｖ〜約＋１０Ｖの範囲にある振幅を有するＤＣ印加電位およびＡＣ印加電位からなる群から選択される印加電位のタイプを作り出す請求項２５７記載のシステム。
【請求項２６６】
前記電子回路における各前記電極が、ｎｍ２〜ｃｍ２の程度の範囲の導電性表面積を有する請求項２５７記載のシステム。
【手続補正２】
【補正対象書類名】明細書
【補正対象項目名】００１６
【補正方法】変更
【補正の内容】
【００１６】
本発明の別の局面によれば、システム特性を動的に制御するために合成分子スプリングデバイスを含むシステムが提供され、このシステムは、（ａ）合成分子スプリングデバイス、この場合、合成分子スプリングデバイスは、（ｉ）少なくとも１つの合成分子アセンブリー［そのそれぞれが、下記の構成成分を含む少なくとも１つの化学的ユニットまたは化学的モジュールを特徴とする：（１）少なくとも１つの原子、（２）前記少なくとも１つの原子の少なくとも１つに錯化した少なくとも１つの錯形成基、（３）少なくとも１つの錯化した原子と可逆的に物理化学的にペアになった少なくとも１つの軸配位子、および（４）本体部を有し、かつ２つの末端を有し、少なくとも一方の末端が合成分子アセンブリーの別の構成成分に化学的に結合している少なくとも１つの実質的に弾性な分子リンカー］、および（ｉｉ）それぞれの合成分子アセンブリーの少なくとも１つの所定の原子−軸配位子ペアに対して作動可能に向けられた活性化メカニズムを含む；ならびに（ｂ）システムの１つの選択されたユニット（この場合、選択されたユニットは、合成分子スプリングデバイスによって動的に制御可能なシステム特性を示す）を含み、この場合、それぞれの合成分子アセンブリーは、結合ユニットを形成するために、選択されたユニットに対して作動可能にカップリングさせられ、それにより、活性化メカニズムが、作動シグナルを、結合ユニットの少なくとも１つの合成分子アセンブリーの少なくとも１つの所定の原子−軸配位子ペアに送って、少なくとも１つの所定の原子−軸配位子ペアを物理化学的に変化させた後、結合ユニットの少なくとも１つの合成分子アセンブリーの少なくとも１つの実質的に弾性な分子リンカーの収縮線状立体配座状態と拡張線状立体配座状態との間、または、その拡張線状立体配座状態と収縮線状立体配座状態との間におけるスプリングタイプの弾性可逆的な移行の少なくとも１回のサイクルを活性化させ、それにより、選択されたユニットによって示されるシステム特性における動的に制御可能な変化を生じさせる。
【手続補正３】
【補正対象書類名】明細書
【補正対象項目名】０１１０
【補正方法】変更
【補正の内容】
【０１１０】
配位子化学業界でよく知られているように、軸配位子は、物理化学的挙動の１つ以上のタイプの領域を特徴としうる。本発明において好ましくは、軸配位子（ＡＬ）は、物理化学的挙動の少なくとも２つのタイプの領域を特徴とする。物理化学的挙動の第一のタイプの領域は、原子（Ｍ）との配位結合相互作用に参加する軸配位子（ＡＬ）の部分に対応する。物理化学的挙動の第二のタイプの領域は、軸配位子（ＡＬ）の最初の２つのタイプの領域の間を連結するか、あるいは第一のタイプの領域と合成分子アセンブリー（ＳＭＡ）の別の成分との間を連結する、軸配位子（ＡＬ）の部分に対応する。